【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
遊技球を流下させる遊技領域と、
前記遊技領域に遊技球を発射する発射装置と、
回動位置に応じて前記発射装置の発射力を変更可能な回動シャフトと、
前記回動シャフトを回動操作可能なハンドルとを備えた遊技機であって、
前記ハンドルと前記回動シャフトとの間には、それらハンドルと回動シャフトとを連結し、前記回動シャフトの軸回り方向に前記ハンドルと前記回動シャフトとを一体に回動させ、かつ、前記回動シャフトの軸方向と直交する軸回り方向に前記ハンドルの揺動を許容する連結手段を設けた遊技機において、
前記回動シャフトの周りを装飾するシャフト装飾部材と、
前記シャフト装飾部材との間で前記回動シャフトの軸方向で前記ハンドルを挟んだハンドル前面装飾部材と、
前記ハンドルを回動可能とした状態で、前記シャフト装飾部材と前記ハンドル前面装飾部材とを連結固定した装飾部材固定部とを備え、
前記連結手段は、前記ハンドルが、前記連結手段により前記回動シャフトに対する揺動を許容された最大揺動角度に至る前に、前記ハンドルが前記シャフト装飾部材又は前記ハンドル前面装飾部材に接触して前記ハンドルの揺動角度が制限されるようにしたことを特徴とする遊技機。
【請求項２】
前記連結手段には、
前記ハンドル又は前記回動シャフトの発射力調節用の回動軸の回りを囲む摺動内面を有した収容体と、その収容体の内部に収容されかつ前記摺動内面に摺動可能な摺動外面を有した接合体とからなり、前記摺動内面と前記摺動外面の少なくとも一方が球面の一部で構成され、前記ハンドルを前記回動シャフトの軸方向と直交する任意の軸回りに揺動可能とする自在継手部と、
前記ハンドルが受けた回動操作力を前記回動シャフトに伝達するための回動操作力伝達部とが備えられたことを特徴とする請求項１に記載の遊技機。
【請求項３】
前記摺動内面と前記摺動外面とが、互いに略同一の球面の一部で構成されたことを特徴とする請求項２に記載の遊技機。
【請求項４】
前記ハンドル前面装飾部材から前記ハンドル側に突出し、前記ハンドルに接触可能であると共に、突出量を変更することで前記ハンドルとの間の隙間を変更可能としたハンドル接触壁を設けたことを特徴とする請求項１乃至３の何れか１の請求項に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技球を流下させる遊技領域と、遊技領域に遊技球を発射する発射装置と、回動位置に応じて発射装置の発射力を変更可能な回動シャフトと、回動シャフトを回動操作可能なハンドルとを備えた遊技機であって、ハンドルと回動シャフトとの間には、それらハンドルと回動シャフトとを連結し、回動シャフトの軸回り方向にハンドルと回動シャフトとを一体に回動させ、かつ、回動シャフトの軸方向と直交する軸回り方向にハンドルの揺動を許容する連結手段を設けた遊技機において、回動シャフトの周りを装飾するシャフト装飾部材と、シャフト装飾部材との間で回動シャフトの軸方向でハンドルを挟んだハンドル前面装飾部材と、ハンドルを回動可能とした状態で、シャフト装飾部材とハンドル前面装飾部材とを連結固定した装飾部材固定部とを備え、連結手段は、ハンドルが、連結手段により回動シャフトに対する揺動を許容された最大揺動角度に至る前に、ハンドルがシャフト装飾部材又はハンドル前面装飾部材に接触してハンドルの揺動角度が制限されるようにしたところに特徴を有する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項４の発明は、請求項１乃至３の何れか１の請求項に記載の遊技機において、ハンドル前面装飾部材からハンドル側に突出し、ハンドルに接触可能であると共に、突出量を変更することでハンドルとの間の隙間を変更可能としたハンドル接触壁を設けたところに特徴を有する。
【手続補正６】
【補正対象書類名】明細書
【補正対象項目名】００１２
【補正方法】変更
【補正の内容】
【００１２】
［請求項１の発明］
請求項１の発明によれば、ハンドルを回動シャフトの軸回り方向に一体回動させることができるので、ハンドルの回動操作により遊技球の発射力を変更することができる。また、ハンドルに、回動シャフトの軸方向と直交する軸回り方向への力がかかると、その力を受けてハンドルが揺動するので、ハンドルと回動シャフトとの連結部分にかかる負荷を軽減することができ、連結部分の破損若しくは不具合を防止することが可能となる。また、本発明の構成によれば、ハンドルをハンドル前面装飾部材とシャフト装飾部材とで挟んだ状態で、回動シャフトの軸回り方向に回動させたり、回動シャフトに直交する軸回り方向に揺動させることができる。しかも、ハンドルが過剰に揺動することが防止され、ハンドルと回動シャフトとの連結部分における不具合を防止できる。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
［請求項４の発明］
請求項４の構成によれば、ハンドル前面装飾部材からハンドル側に突出したハンドル接触壁がハンドルに接触することで、ハンドル前面装飾部材とハンドルとの間には隙間が形成される。また、隙間の大きさは、ハンドル接触壁の突出量を変更することで変更可能である。ここで、突出量を大きくすれば隙間が大きくなり、ハンドルの揺動範囲を大きくすることができる。また、突出量を小さくすれば隙間が小さくなり、ハンドルの揺動範囲を小さくすることができる。つまり、ハンドル接触壁の突出量を変更することでハンドルの揺動範囲を変更することができる。
【手続補正１０】
【補正対象書類名】明細書
【補正対象項目名】００７６
【補正方法】変更
【補正の内容】
【００７６】
固定リング１２０の外径は、収容体１５０の外径とほぼ同じとなっている。固定リング１２０の中心部分には、回動シャフト１００の周面に対応した形状のシャフト挿通孔１２１が形成されている。即ち、シャフト挿通孔１２１のうち、接合体１０２寄り部分の内面１２１Ａは、接合体１０２の外面１０２Ｇと面接触するように球面の一部で構成されている。また、シャフト挿通孔１２１のうち非円形軸部１０１寄り部分は、非円形軸部１０１の断面形状に対応して、「Ｄ」字形状をなしている（図９を参照）。そして、回動シャフト１００の非円形軸部１０１に固定リング１２０が嵌合することで、固定リング１２０と回動シャフト１００とが、回動シャフト１００の軸線Ｅ回りに一体回動可能となっている。
【手続補正１１】
【補正対象書類名】明細書
【補正対象項目名】００７９
【補正方法】変更
【補正の内容】
【００７９】
ここで、収容体１５０と固定リング１２０とは弾性リング１１０を挟持している。また、回動シャフト１００に形成された非円形軸部１０１と、非円形軸部１０１に嵌合された固定リング１２０と、固定リング１２０から突出した連結ピン１２２，１２２と、収容体１５０のピン連結孔１５２，１５２とで、本発明の「回動操作力伝達部」が構成されている。また、以下の説明において、ハンドル３１の「揺動」とは、「回動シャフト１００に直交する軸線回り方向における揺動」のことである。
【手続補正１２】
【補正対象書類名】明細書
【補正対象項目名】０１３０
【補正方法】変更
【補正の内容】
【０１３０】
（８）前記第１及び第２実施形態では、弾性リング１１０，２１０を、収容体１５０，２５０の端面と、固定リング１２０，２２０の端面との間に挟持していたが、例えば、弾性リングを、シャフト装飾部材３２のカップ部２６の開口端に敷設してもよい。このようにすれば、ハンドル３１が揺動したときに、弾性リングがハンドル３１の後面とシャフト装飾部材３２の開口端との間で押圧されて弾性変形し、その弾性力により、ハンドル３１を揺動姿勢から通常姿勢に戻すことができる。ここで、ハンドル３１が通常姿勢のとき、即ち、ハンドル３１とシャフト装飾部材３２の開口端とが平行となったときに、弾性リングとハンドル３１との間に隙間を設けるようにすれば、ハンドル３１の回動シャフトの軸線回りへの回動がスムーズに行える。